(57)【要約】【課題】一般家庭店舗旅館では食卓の配膳に手間を要しコップ酒器の転倒食前食後の片付け運搬に問題がある。小児老人への配慮がなく食事に容器を持ち替え熱い容器重い容器に気を使い熱湯による火傷衣服への汚れ防止等の問題を解決する容器トレイの提供【解決手段】トレイに容器収納穴付きＡ１強力磁石付き容器用鉄板付きＡ２ツイストネジ付き容器用Ａ３・Ａ１Ａ２Ａ３の特徴を持つＡ４各容器転倒防止板を脚部Ｅに固定し着脱自在に容器を固定し容器転倒を防止して重たい器熱い容器を持たず軽く熱伝導の低い食事容器小鉢Ｄ１で食事しさじストローを使用して箸先に抗菌作用がありお金が貯まると言われる銀を被せ西洋式にして割り箸は木材チップに活用し老人小児の食事を容易にして食前食後の配膳片付け持ち運びを改善する。料理を作り可動型トレイで運搬盛り付けの流れ作業可能【選択図】　　図１
2004000735.tif 000002
【特許請求の範囲】
【請求項１】
従来容器収納穴のある食事容器等の転倒防止板
【請求項２】
底部強力磁石付き容器及び従来容器を乗せる底部強力磁石付き容器受けを着脱自在とする鉄板付き食事容器転倒防止板
【請求項３】
ツイストネジ付き容器同従来容器を乗せる容器受け等の食事容器転倒防止板
【請求項４】
「請求項１〜３」の特徴を組み合わせた食事容器転倒防止板
【請求項５】
底部強力磁石付き容器同従来容器を乗せる容器受け及びツイストネジ付き容器同従来容器を乗せる容器受け
【請求項６】
従来トレイに乗せる各食事容器転倒防止板をツイストネジで着脱自在に取り替えられる脚部台
【請求項７】
トレイ底部に可動部分を設けた制動機付きトレイ
【請求項８】
固定系合部のあるさじと先端部に金属を被せた箸
【発明の詳細な説明】
【技術分野】
【０００１】本発明は一般家庭食事店でのコップ酒器汁器その他の容器が転倒落下するのを防止して熱湯・汁で火傷衣服への汚れ防止運搬を容易にする器具及びトレイの改善により食前食後の用意片付けを容易にする技術に関するものである。
【背景技術】
【０００２】一般家庭では食卓の配膳に時間と手間を要しコップ汁器酒器の転倒落下食前食後の片付け運搬に配慮が無い。これは食堂料理店料亭旅館の食事でも同じ傾向にあり小児老人への配慮が無い、食事に容器を持ち替えねばならず食事には熱い容器重い容器に気をつけねばならなかったサービスをする者受ける者への配慮が無いトレイ食事容器であった
【発明の開示】
【発明が解決しようとする課題】
【０００３】解決しようとする問題点は従来容器トレイを活用し又は新型トレイに容器を固定し持ち運び食前食後の配膳片付けの手間を省く為の技術の開発とコップ酒器食事容器の転倒防止容器同防止板及び容器転倒による熱湯による火傷衣服への汚れ防止トレイによる運搬に関する技術である
【課題を解決するための手段】
【０００４】トレイに容器等の転倒防止版Ａ１Ａ２Ａ３Ａ４着脱自在の脚部台Ｅを付け間隙部にメニュー等を置き容器の転倒落下火傷衣服への汚れを防止して重たい容器熱い容器を持たず軽い材質で熱伝導の低い食事容器小鉢Ｄ１で食事し容器転倒防止板Ａ１Ａ２Ａ３Ａ４に汁物はさじを使い箸置を設けジュース類はストローを使い老人小児が食事をするのを容易にして食前食後の配膳片付け持ち運びを改善する。容器転倒防止板Ａ１Ａ２Ａ３Ａ４は以下に述べるように容器をツイストネジ雌で固着し従来の容器の転倒落下を防止するＡ３ツイストネジでネジ頭大でＡ３を脚部Ｅに着脱自在とし底部ツイストネジ付きＢ１同従来容器を乗せる容器受けＢ２を固定する。容器底部に強力磁石付き容器Ｃ１従来容器を乗せ容器底部が強力磁石付容器Ｃ２で鉄板付きで転倒防止するＡ２コップ瓶等の収納穴付き転倒防止するＡ１・Ａ１Ａ２Ａ３の特徴を組み合わせ転倒防止するＡ４、Ａ１Ａ２Ａ３Ａ４は種類が多いので料理により取替えられる。
【発明の効果】
【０００５】本発明は現在あるトレイ食器を活用でき容器転倒防止板Ａ１Ａ２Ａ３Ａ４を乗せサイズも大きく出来る。豪華な感じの盛り合わせが可能であり持ち運びが安全である【０００６】一般家庭での配膳片付け食事をした本人が安全に運んで片付けられ配膳も盛り付けも便利であり小児老人も容器を持つことなく食べ易く熱湯による火傷コップビール瓶酒器転倒防止が出来る。【０００７】自由に盛り付けしたいとき鉄板の配置面に強力地石付き容器で固定でき転倒が防止可能であり運搬が便利となる。喫茶店軽食用、磁力の効果で健康増進に良い【０００８】ツイストネジ付き容器Ｂ１と同酒器コップ従来容器搭載用容器受けＢ２が有る為料理の種類によりＡ１Ａ２Ａ３Ａ４も種類があり新規な容器の製造が期待できる【０００９】容器をセットする料理を作る盛り付けをする運搬片づけがベルトコンベアのように流れ作業が可能になる、客は重たい容器熱い容器もたずに済み家族で来る【００１０】家庭で定食型トレイなのでダイエット可能飲酒過多がなくなり家族が協力して配膳と片付けをする
【発明を実施するための最良の形態】
【００１１】高齢化が進み熱い容器重い容器、容器を転倒させてしまいそうなことに気を使わず高齢者も小児も安心して食事を楽しめ配膳は各自が行い食後の片付けもトレイで各自が運び片付けられるようにするには食事容器転倒防止板をトレイに付けるのが最良である
【実施例１】
【００１２】発明の実施の形態を実施例に基づき図面を参照して説明する。図１従来トレイに容器等の転倒防止板Ａ１Ａ２Ａ３Ａ４をツイストネジで脚部Ｅへ着脱自在とするＡ４はＡ１Ａ２Ａ３の特徴を持ち容器収容穴にコップ瓶などを入れ底部強力磁石付従来容器受けＣ２ツイストネジ付き容器Ｂ１及び同従来容器受けＢ２を配置し箸置きさじを付けた図。
【実施例２】
【００１３】図２は磁石付き容器で配置を自由にしたい時の容器転倒防止板Ａ２鉄板付きの図、Ａ２に容器の底部が強力磁石付容器Ｃ１又は従来容器を乗せる容器底部強力磁石付き容器受けＣ２をＡ２に乗せ配置する
【実施例３】
【００１４】図３は容器収容穴付き容器転倒防止板Ａ１である。図４は軽くて熱伝導の低い容器食事用小鉢Ｄ１を用い先端部が金属で覆われた西洋式箸とさじで食事をして熱い容器や他の容器を持ち替えることなく熱湯による火傷衣服への汚れを防止すると共に容器の転倒落下を防止する。図５は把手の有る容器受けの図でツイストネジ付き、ツイストネジは桃屋の「ごはんですよ」のキャップ用ネジ。
【実施例４】
【００１５】図６可動型同制動器付きトレイの裏面図である可動型トレイを食卓の高さと同じ運搬用台車で運搬して配膳しても良い。図７は、箸の先端部に金属を被せ銀は抗菌とお金が貯まる西洋式にした図。従来容器受けは原則として方形箱型としそのまま盛付けして弁当箱としても良い。方形であるので従来容器を出し入れし易い。汁器に付いてはさじで掬い易いようにしさじを固定でき系合部が有る図８参照。注Ａ１Ａ２Ａ３Ａ４の図で容器配置の図は例である。
【実施例５】
【００１６】図９はＡ３板を使用しツイストネジ付き容器で固定しようとする図でＡ３板は簡単に取替へできる
【実施例６】
【００１７】図１０はＡ２板を使用し底部強力磁石付き容器を配置しようとする図。図１１は固定メューの容器トレイ一体型側面図で食堂用である。
【産業上の利用可能性】
【００１８】従来の箸先に抗菌作用のある金属を被せ割り箸は別の木材チップなどに使用すれば良い。容器転倒防止板は一般家庭・料亭・病院・店舗・旅館・喫茶店等で需要があると思われる【００１９】新しい介護用品となりうる。トレイによる定食用なので過食が防げる新しい容器の製造と需要が期待できる。磁石金属の需要が高まり食事作法も国際的になる。
【図面の簡単な説明】
【００２０】
【図１】脚部台ＥにＡ１Ａ２Ａ３の特徴を備えた容器転倒防止板Ａ４を着脱自在にしてツイストネジ付き容器Ｂ１同従来容器受けＢ２鉄板を用い底部強力磁石付き従来容器受けＣ２ビールコップはＡ１の容器収納穴を配置し箸置を付け可動型トレイ付の斜視図
【図２】容器を自由に配置したい時の強力磁石付き容器転倒防止板Ａ２鉄板付きの斜視図
【図３】容器収納穴のある容器転倒防止板Ａ１の斜視図
【図４】軽量熱伝導の低い食事容器小鉢Ｄの斜視図
【図５】把手の有る容器と同容器受けツイストネジ付の斜視図。桃屋の「ごはんですよ」のキャップ用ネジ
【図６】可動部分及び制動機付きトレイの状態図
【図７】従来の箸の先に金属を被せ西洋式にスプーン・フォーク形式にした図
【図８】固定用さじの側面図　溝の部分が系合する様子を示した図
【図９】Ａ３板を使用しトレイに着脱自在としツイストネジ付き容器を固定する側面図
【図１０】Ａ２板を使用しトレイに着脱自在とし強力磁石付き容器を配置する側面図
【図１１】固定定食メニューで容器トレイ一体型の斜視図
【符号の説明】
【００２１】Ａ１　容器収納穴により転倒を防止する板
Ａ２　強力磁石容器使用用容器転倒防止板配置面鉄板付
Ａ３　ツイストネジ付き容器を使用した容器転倒防止板
Ａ４　Ａ１Ａ２Ａ３の特徴を組み合わせた容器転倒防止板
Ｅ　　Ａ１Ａ２Ａ３Ａ４を乗せ固定する脚部
Ｂ１　ツイストネジ付き容器
Ｂ２　ツイストネジ付きの従来容器受け
Ｃ１　底部強力磁石付き容器
Ｃ２　従来容器を乗せる容器底部強力磁石付き従来容器受け
Ｄ１　軽く熱伝導の低い食事用小鉢
１　　可動型トレイ
２　　箸置き
３　　鉄板
４　　把手の有る容器と同容器受け
５　　Ａ１Ａ２Ａ３Ａ４を固定するツイストネジ　ネジ頭手で握れる
６　　制動機付き制動部ゴム付きレバー
７　　トレイ裏面の可動車、車輪はゴム製
８　　スプリング
９　　可動機制動部付きゴム付きレバー固定用金具
１０　従来の箸先を金属で覆い銀メッキし抗菌お金が貯まると言われる西洋風箸
１１　固定系合部付きさじ
１２　汁器　（スープ　味噌汁等）
１３　Ａ１Ａ２Ａ３Ａ４取替え可能型トレイ
１４　固定メニューによる一体型の容器とトレイ
【図１】
2004000735.tif 000003
【図２】
2004000735.tif 000004
【図３】
2004000735.tif 000005
【図４】
2004000735.tif 000006
【図５】
2004000735.tif 000007
【図６】
2004000735.tif 000008
【図７】
2004000735.tif 000009
【図８】
2004000735.tif 000010
【図９】
2004000735.tif 000011
【図１０】
2004000735.tif 000012
【図１１】
2004000735.tif 000013